(57)【要約】【課題】操作性を確保する。【解決手段】コンパクト容器１０は、内容物が収容される容器本体１１と、容器本体１１に連結され、容器本体１１を開放可能に閉塞する蓋体１２と、容器本体１１または蓋体１２に、容器本体１１の径方向の内側に向けて移動自在に配置された押釦体１３と、を備え、蓋体１２には、容器本体１１に設けられた第１係止部３０に離脱可能に係止され、容器本体１１に対する蓋体１２の開放動作を規制する第２係止部８２が設けられ、容器本体１１は、上方付勢状態で下方移動自在に配置されたステム３９を有しステム３９の下方移動に伴って容器本体１１内の内容物を吐出孔７２から吐出する吐出器３１を備え、押釦体１３は、径方向の内側に向けて押し込まれることで、第２係止部８２を第１係止部３０から離脱させるとともにステム３９を下方移動させる。【選択図】図１
2019026347.tif 000002
【特許請求の範囲】
【請求項１】
内容物が収容される容器本体と、
前記容器本体に連結され、前記容器本体を開放可能に閉塞する蓋体と、
前記容器本体または前記蓋体に、前記容器本体の径方向の内側に向けて移動自在に配置された押釦体と、を備え、
前記蓋体には、前記容器本体に設けられた第１係止部に離脱可能に係止され、前記容器本体に対する前記蓋体の開放動作を規制する第２係止部が設けられ、
前記容器本体は、上方付勢状態で下方移動自在に配置されたステムを有し前記ステムの下方移動に伴って前記容器本体内の内容物を吐出孔から吐出する吐出器を備え、
前記押釦体は、前記径方向の内側に向けて押し込まれることで、前記第２係止部を前記第１係止部から離脱させるとともに前記ステムを下方移動させることを特徴とするコンパクト容器。
【請求項２】
前記容器本体は、内容物を収容し内容物の減少に伴い減容する収容空間を備えていることを特徴とする請求項１に記載のコンパクト容器。
【請求項３】
前記容器本体は、
容器軸方向に延び内部に前記収容空間を画成する画成筒と、
前記画成筒内に容器軸方向に摺動自在に嵌合され前記画成筒とともに前記収容空間を画成する中皿と、を備え、
前記収容空間は、前記中皿が前記画成筒内を容器軸方向に摺動することで減容することを特徴とする請求項２に記載のコンパクト容器。
【請求項４】
前記収容空間は、環状に形成され、
前記ステムは、前記収容空間に対して、前記収容空間の径方向の内側に配置されていることを特徴とする請求項２または３に記載のコンパクト容器。
【請求項５】
前記押釦体は、前記径方向の内側に向けて離脱位置まで押し込まれたときに前記第２係止部を前記第１係止部から離脱させ、前記離脱位置よりも前記径方向の内側に向けて押下位置まで押し込まれたときに前記ステムを下方移動させることを特徴とする請求項１から４のいずれか１項に記載のコンパクト容器。
【請求項６】
前記吐出器は、前記ステムに外装される外装部材を備え、
前記押釦体は、前記外装部材を押下する押下部を備え、
前記押下部は、前記ステムを前記径方向に挟んで一対配置されている請求項１から５のいずれか１項に記載のコンパクト容器。
【請求項７】
前記容器本体は、
前記蓋体が連結された外殻体と、
内容物を収容するとともに前記吐出器を有し、前記外殻体に着脱自在に装着された付け替え部と、を備え、
前記押釦体は、前記付け替え部に装着されていることを特徴とする請求項１から６のいずれか１項に記載のコンパクト容器。
【発明の詳細な説明】
【技術分野】
【０００１】
本発明は、コンパクト容器に関する。
【背景技術】
【０００２】
従来から、例えば、アイシャドウやアイライナ、ファンデーション等の化粧料を収容するコンパクト容器が知られている。一般的なコンパクト容器は、内容物が収容される容器本体と、容器本体に連結され、容器本体を開放可能に閉塞する蓋体と、容器本体または蓋体に配置され、容器本体の径方向の内側に向けて移動自在に配置された押釦体と、を備える。コンパクト容器では、押釦体を押し込むことで蓋体を開放させることができる。
ここで本願発明者は、前記コンパクト容器における容器本体に、例えば下記特許文献１に記載のポンプ付き容器を適用することに想到した。前記ポンプ付き容器は、上方付勢状態で下方移動自在に配置されたステムを有する吐出器を備えている。吐出器は、ステムの下方移動に伴って内容物を吐出孔から吐出する。
【先行技術文献】
【特許文献】
【０００３】
【特許文献１】特開２０１１−１１６４２３号公報
【発明の概要】
【発明が解決しようとする課題】
【０００４】
しかしながら、前記コンパクト容器では、操作性に改善の余地がある。
【０００５】
本発明は、前述した事情に鑑みてなされたものであって、操作性を確保することができるコンパクト容器を適用することを目的とする。
【課題を解決するための手段】
【０００６】
前記課題を解決するために、本発明は以下の手段を提案している。
本発明に係るコンパクト容器は、内容物が収容される容器本体と、前記容器本体に連結され、前記容器本体を開放可能に閉塞する蓋体と、前記容器本体または前記蓋体に、前記容器本体の径方向の内側に向けて移動自在に配置された押釦体と、を備え、前記蓋体には、前記容器本体に設けられた第１係止部に離脱可能に係止され、前記容器本体に対する前記蓋体の開放動作を規制する第２係止部が設けられ、前記容器本体は、上方付勢状態で下方移動自在に配置されたステムを有し前記ステムの下方移動に伴って前記容器本体内の内容物を吐出孔から吐出する吐出器を備え、前記押釦体は、前記径方向の内側に向けて押し込まれることで、前記第２係止部を前記第１係止部から離脱させるとともに前記ステムを下方移動させることを特徴とする。
【０００７】
この発明によれば、押釦体を前記径方向の内側に向けて押し込むことで、第２係止部を第１係止部から離脱させ、蓋体を開放することができる。また、ステムを下方移動させて吐出器を作動させ、内容物を吐出孔から吐出することができる。ここで、従来のコンパクト容器に単に吐出器を適用した構成では、押釦体を径方向に押し込んで蓋体を開放した後、ステムを上方から押し込んで内容物を吐出させることとなる。これに対して、このコンパクト容器では、使用者が、押し込み操作の方向性を変えることなく、単に所定の方向に向けて押し込み操作を実施することで、蓋体の開放および内容物の吐出を実現することができる。これにより、操作性を高めることができる。
また、内容物の使用時には、吐出器の作動によって容器本体内から所定量の内容物が吐出される。したがって、例えば、内容物が過度に吐出されること等がなく、内容物を適量、使用することができる。
【０００８】
前記容器本体は、内容物を収容し内容物の減少に伴い減容する収容空間を備えていてもよい。
【０００９】
この場合、内容物の減少に伴い収容空間が減容する。したがって、吐出孔から吐出されずに収容空間内に収容されている内容物を、外気から保護し易くすることが可能になり、内容物の意図しない乾燥を抑えることができる。
また、内容物の減少に伴い収容空間が減容する。したがって、収容空間内の内容物が少なくなっても、吐出器が内容物を吐出し易い。その結果、内容物が容器本体内に残存した状態で吐出器が内容物を吐出不能になる状況の発生を抑え、容器本体内の内容物の残量を低減することができる。
【００１０】
前記容器本体は、容器軸方向に延び内部に前記収容空間を画成する画成筒と、前記画成筒内に容器軸方向に摺動自在に嵌合され前記画成筒とともに前記収容空間を画成する中皿と、を備え、前記収容空間は、前記中皿が前記画成筒内を容器軸方向に摺動することで減容してもよい。
【００１１】
この場合、中皿が画成筒内を容器軸方向に摺動することで収容空間が減容する。したがって、収容空間内の内容物を中皿の移動によって吐出器に供給し易くすることが可能になり、容器本体内の内容物の残量をより低減することができる。
【００１２】
前記収容空間は、環状に形成され、前記ステムは、前記収容空間に対して、前記収容空間の径方向の内側に配置されていてもよい。
【００１３】
この場合、ステムが、収容空間に対して、収容空間の径方向の内側に配置されている。したがって、ステムおよび収容空間の容器軸方向の位置を重複させることができる。これにより、ステムおよび収容空間全体の容器軸方向の省スペース化を図ることが可能になり、容器本体の容器軸方向の大きさを小さくすることができる。
【００１４】
前記押釦体は、前記径方向の内側に向けて離脱位置まで押し込まれたときに前記第２係止部を前記第１係止部から離脱させ、前記離脱位置よりも前記径方向の内側に向けて押下位置まで押し込まれたときに前記ステムを下方移動させてもよい。
【００１５】
この場合、押釦体が、離脱位置まで押し込まれたときに第２係止部を第１係止部から離脱させ、開放位置から押下位置まで更に押し込まれたときにステムを下方移動させる。したがって、押釦体の押し込み量を変更することで、単に蓋体の開放動作の規制を解除するだけか、規制を解除した後に内容物の吐出まで実施するかを調整することができる。これにより、コンパクト容器の利便性を向上させることができる。例えば、蓋体に鏡体が配置されている場合であって、内容物を使用せずに鏡体のみを使用したい場合には、押釦体を押下位置までは移動させずに離脱位置まで移動させることで、内容物の不要な吐出を回避することができる。
【００１６】
前記吐出器は、前記ステムに外装される外装部材を備え、前記押釦体は、前記外装部材を押下する押下部を備え、前記押下部は、前記ステムを前記径方向に挟んで一対配置されていてもよい。
【００１７】
この場合、押下部が、ステムを前記径方向、つまり押釦体が押し込まれる方向に挟んで一対配置されている。したがって、押釦体を押し込んで外装部材を介してステムを下方移動させるときに、一対の押下部によってステムを安定に下方移動させることができる。これにより、コンパクト容器の操作性をより高めることができる。
【００１８】
前記容器本体は、前記蓋体が連結された外殻体と、内容物を収容するとともに前記吐出器を有し、前記外殻体に着脱自在に装着された付け替え部と、を備え、前記押釦体は、前記付け替え部に装着されていてもよい。
【００１９】
この場合、容器本体が、付け替え部と外殻体を備えている。したがって、容器本体内の内容物を使い終えた後、外殻体から付け替え部を離脱させて新たな付け替え部を装着させることで、内容物の詰め替えをすることができる。このとき、押釦体が付け替え部に装着されていることから、内容物の詰め替えにあわせて押釦体も交換することができる。
【発明の効果】
【００２０】
本発明によれば、操作性を確保することができる。
【図面の簡単な説明】
【００２１】
【図１】本発明の一実施形態に係るコンパクト容器の縦断面図である。
【図２】図１に示すＡ−Ａ断面矢視図である。
【図３】図１に示すコンパクト容器の平面図である。
【図４】図１に示すコンパクト容器であって、押釦体が離脱位置まで押し込まれた状態を示す縦断面図である。
【図５】図４に示すコンパクト容器の平面図である。
【図６】図４に示すコンパクト容器であって、押釦体が離脱位置から押下位置まで押し込まれた状態を示す縦断面図である。
【発明を実施するための形態】
【００２２】
以下、図１から図６を参照し、本発明の一実施形態に係るコンパクト容器を説明する。
図１から図３に示すように、コンパクト容器１０は、例えば化粧料などの内容物を収容する携帯用である。コンパクト容器１０は、平面視で円形状の偏平容器である。コンパクト容器１０は、容器本体１１と、蓋体１２と、押釦体１３と、を備えている。容器本体１１は、筒状に形成されている。蓋体１２は、ヒンジ部１４によって容器本体１１に回動可能に連結されている。
【００２３】
以下では、容器本体１１の中心軸線を容器軸Ｏという。容器軸Ｏ方向に沿う容器本体１１側を下側といい、蓋体１２側を上側という。コンパクト容器１０を容器軸Ｏ方向から見た平面視において、容器軸Ｏに直交する方向を径方向（容器本体１１の径方向）といい、容器軸Ｏ回りに周回する方向を周方向という。径方向のうち、ヒンジ部１４を通過する方向を前後方向という。前後方向に沿って容器軸Ｏに対するヒンジ部１４側を後側といい、その反対側を前側という。容器軸Ｏ方向および前後方向に直交する方向を左右方向という。ヒンジ部１４のヒンジ軸１５は、左右方向に延びている。
【００２４】
容器本体１１は、外殻体２１と、付け替え部２２と、を備えている。
外殻体２１には、蓋体１２がヒンジ部１４により連結されている。図２に示すように、外殻体２１は、外周壁部２３と、内周壁部２４と、底面部２５と、天面部２６と、を備えている。外周壁部２３および内周壁部２４は、容器軸Ｏと同軸に配置されている。底面部２５および天面部２６は、容器軸Ｏと同軸の環状に形成されている。底面部２５は、外周壁部２３と一体に形成され、外周壁部２３の下端部から径方向の内側に向けて延びている。天面部２６は、内周壁部２４と一体に形成され、内周壁部２４の下端部から径方向の外側に向けて延びている。
【００２５】
図１に示すように、外殻体２１には、ヒンジ凹部２７と、係止凹部２８と、が設けられている。
ヒンジ凹部２７は、ヒンジ部１４の一部を構成する。ヒンジ凹部２７は、外殻体２１において後側に位置する部分に配置されている。ヒンジ凹部２７は、前方に向けて窪んでいる。ヒンジ凹部２７は、外殻体２１の容器軸Ｏ方向の全長にわたって延びている。
【００２６】
ヒンジ凹部２７は、ヒンジ主壁２７ａと、一対のヒンジ側壁２７ｂと、を備えている。ヒンジ主壁２７ａは、後方を向いている。一対のヒンジ側壁２７ｂは、ヒンジ主壁２７ａの左右方向の両端部から後方に向けて延びている。
ヒンジ主壁２７ａには、付勢部材２９が配置されている。付勢部材２９は、ヒンジ部１４のヒンジ軸１５よりも上方に配置されている。付勢部材２９は、蓋体１２において後側に位置する部分を後側に向けて付勢する。
【００２７】
係止凹部２８は、外殻体２１において前側に位置する部分に配置されている。係止凹部２８は、外殻体２１の上端部に配置され、外殻体２１から下方に向けて窪んでいる。
係止凹部２８は、係止主壁２８ａと、係止底壁２８ｂと、を備えている。係止主壁２８ａは、前方を向いている。係止底壁２８ｂは、係止主壁２８ａの下端部から前方に向けて延びている。係止主壁２８ａには、第１係止部３０が設けられている。第１係止部３０は、係止主壁２８ａから前方に向けて突出している。
【００２８】
付け替え部２２は、外殻体２１に着脱自在に装着されている。付け替え部２２は、外殻体２１内に上方から挿入され、外殻体２１内に収容されている。付け替え部２２は、外殻体２１内から上方に向けた離脱を許容されるものの、下方に向けた離脱を規制されている。付け替え部２２は、吐出器３１と、画成筒３２と、底皿３３と、中皿３４と、を備えている。
【００２９】
吐出器３１は、シリンダ３５と、吸込弁３６と、ピストン３７と、ピストン押さえ３８と、ステム３９と、ステムヘッド４０と、外装部材４１と、コイルスプリング４２と、吐出ヘッド４３と、を備えている。吐出器３１は、ステム３９の下方移動に伴って後述する収容空間７５内の内容物を吐出孔７２から吐出する。
シリンダ３５は、容器軸Ｏと同軸の多段の有底筒状に形成されている。シリンダ３５は、下底壁４４と、内筒４５と、上底壁４６と、外筒４７と、本体筒４８と、を備えている。
【００３０】
下底壁４４は、平面視円形状に形成されている。内筒４５は、下底壁４４の外周縁部から上方に向けて延びている。上底壁４６は、内筒４５の上端部から径方向の外側に向けて突出している。上底壁４６は、平面視円環状に形成されている。上底壁４６には、空気孔４９が形成されている。空気孔４９は、上底壁４６を容器軸Ｏ方向に貫通されている。外筒４７は、上底壁４６の外周縁部から上方に向けて延びている。本体筒４８は、下底壁４４から上方に向けて突出している。本体筒４８は、容器軸Ｏと同軸に配置されている。本体筒４８は、内筒４５よりも小径である。
【００３１】
シリンダ３５には、吸込孔５０と、後挿通孔５１と、が形成されている。吸込孔５０は、下底壁４４を容器軸Ｏ方向に貫通する。吸込孔５０は、本体筒４８内に連通している。後挿通孔５１は、外筒４７に形成されている。後挿通孔５１は、外筒４７において前側に位置する部分に形成されている。後挿通孔５１は、外筒４７を前後方向に貫通する。
【００３２】
吸込弁３６は、後述する収容空間７５からシリンダ３５内への内容物の流入を許容し、シリンダ３５内から収容空間７５への流出を規制する逆止弁である。吸込弁３６は、いわゆる三点弁によって形成されている。吸込弁３６は、本体筒４８内に配置され、下底壁４４に離反自在に着座する。吸込弁３６は、下底壁４４に着座することで吸込孔５０を閉塞し、本体筒４８内と収容空間７５との連通を遮断する。吸込弁３６は、下底壁４４から離反することで吸込孔５０を開放し、本体筒４８内と収容空間７５とを連通する。吸込弁３６は、本体筒４８内に負圧が生じたときに、例えば弾性付勢力に抗して開弁し、それ以外のときには閉弁する。
【００３３】
ピストン３７は、シリンダ３５内（本体筒４８内）に上下摺動自在に密に嵌合されている。
ピストン押さえ３８は、ピストン３７のシリンダ３５からの上方への離脱を規制している。ピストン押さえ３８の一部は、本体筒４８の上端縁から径方向の内側に向けて張り出し、ピストン３７に対して上方から係止可能とされている。
【００３４】
ピストン押さえ３８は、小径部５２と、大径部５３と、ばね座部５４と、押さえ部５５と、を備えている。
小径部５２は、本体筒４８に外嵌されている。大径部５３は、内筒４５内に配置されており、小径部５２を径方向の外側から囲繞している。ばね座部５４は、小径部５２および大径部５３の下端部同士を連結している。押さえ部５５は、小径部５２の上端部から径方向の内側に向けて突出している。押さえ部５５がピストン３７に対して上側から係止することで、ピストン３７のシリンダ３５からの上方への離脱が規制される。
【００３５】
ステム３９は、上方付勢状態で下方移動自在に配置されている。ステム３９は、有底筒状に形成されている。ステム３９は、シリンダ３５内（本体筒４８内）に配置されている。ステム３９の下端部には、鍔部５６が設けられている。鍔部５６は、ステム３９から径方向の外側に向けて突出している。鍔部５６は、ピストン３７の下方に配置されている。ピストン３７は、蓋体１２と押さえ部５５との間に配置されている。鍔部５６は、本体筒４８内に容器軸Ｏ方向に摺動自在に嵌合されている。鍔部５６には、第１流通孔５７が形成されている。第１流通孔５７は、鍔部５６を容器軸Ｏ方向に貫通する。第１流通孔５７は、鍔部５６に周方向に間隔をあけて複数配置されている。
【００３６】
ステム３９の上端部は、本体筒４８よりも上方に位置し、外筒４７の上端部よりも下方に位置している。ステム３９における容器軸Ｏ方向の中間部には、第２流通孔５８が形成されている。第２流通孔５８は、ステム３９を径方向に貫通している。第２流通孔５８は、周方向に間隔をあけて配置されている。
ステムヘッド４０は、ステム３９の上端部に装着されている。ステムヘッド４０は、有頂筒状に形成されている。ステムヘッド４０は、ステム３９の上端部に外嵌されている。ステムヘッド４０には、第３流通孔５９が形成されている。第３流通孔５９は、ステムヘッド４０を貫通している。第３流通孔５９は、ステム３９内に連通している。
【００３７】
外装部材４１は、ステム３９に外装されている。外装部材４１は、装着筒６０と、上フランジ６１と、内ガイド筒６２と、下フランジ６３と、外ガイド筒６４と、を備えている。
装着筒６０は、ステム３９に装着されている。装着筒６０は、ステム３９に対して容器軸Ｏ方向の位置が固定されている。装着筒６０は、ステム３９および外装部材４１が下方移動したときに、ピストン３７に上方から当接してピストン３７を下方移動させる。
上フランジ６１は、装着筒６０の上端部から径方向の外側に向けて突出している。上フランジ６１は、押さえ部５５の上方に位置し、押さえ部５５に対して上方から対向している。
【００３８】
内ガイド筒６２は、上フランジ６１の外周縁部から下方に向けて延びている。内ガイド筒６２は、小径部５２に容器軸Ｏ方向に移動自在に外挿されている。
下フランジ６３は、内ガイド筒６２における容器軸Ｏ方向の中間部から径方向の外側に向けて突出している。下フランジ６３は、大径部５３よりも上方に位置している。下フランジ６３の外径は、大径部５３の外径と同等である。
外ガイド筒６４は、下フランジ６３から下方に向けて延びている。外ガイド筒６４は、大径部５３に容器軸Ｏ方向に移動自在に内挿されている。
【００３９】
外装部材４１には、配置孔６５が形成されている。配置孔６５は、外装部材４１において後側に位置する部分に形成されている。配置孔６５は、上フランジ６１および内ガイド筒６２の両方にわたって一体に形成されている。配置孔６５は、内ガイド筒６２のうち、下フランジ６３よりも上側に位置する部分に配置されている。配置孔６５は、外装部材４１を左右方向に貫通する。
【００４０】
外装部材４１は、被押下部６６を更に備えている。被押下部６６は、下フランジ６３から上方に向けて突出している。被押下部６６は、ステム３９を前後方向に挟んで一対配置されている。被押下部６６は、前側に位置する前被押下部６６ａと、後側に位置する後被押下部６６ｂと、を備えている。前被押下部６６ａの後端部は、内ガイド筒６２の上端部に連結されている。後被押下部６６ｂは、配置孔６５内に配置されている。各被押下部６６には、前方を向く第１傾斜面６７が形成されている。第１傾斜面６７は、後方に向かうに従い上方に向けて延びている。
【００４１】
コイルスプリング４２は、容器軸Ｏ方向に弾性変形可能に配置されている。コイルスプリング４２は、被押下部６６の下方（真下）に配置されている。これにより、被押下部６６が押下されたときに、被押下部６６からコイルスプリング４２に効果的に圧縮力が伝達される。コイルスプリング４２は、ばね座部５４と、下フランジ６３と、の間に配置されている。コイルスプリング４２は、内ガイド筒６２と、外ガイド筒６４と、の間に挿通されている。
【００４２】
吐出ヘッド４３は、シリンダ３５を上方から覆う。吐出ヘッド４３は、有頂筒状に形成されている。吐出ヘッド４３は、頂壁部６８と、周壁部６９と、挿入筒７０と、突き当て部７１と、を備えている。頂壁部６８の外周縁部は、シリンダ３５の外筒４７の上端開口縁上に配置されている。周壁部６９は、頂壁部６８の外周縁部から下方に向けて延びている。周壁部６９は、外筒４７に外嵌されている。周壁部６９の下端部は、外筒４７よりも下方に位置している。挿入筒７０は、容器軸Ｏと同軸に配置されている。挿入筒７０は、ステムヘッド４０の外周面と装着筒６０の内周面との間に挿入されている。挿入筒７０は、装着筒６０内に容器軸Ｏ方向に摺動可能に密に嵌合されている。突き当て部７１は、挿入筒７０や外装部材４１よりも後方に配置されている。突き当て部７１は、頂壁部６８から下方に向けて延びている。
【００４３】
吐出ヘッド４３には、吐出孔７２と、前挿通孔７３と、が形成されている。吐出孔７２は、容器軸Ｏと同軸に配置されている。吐出孔７２は、挿入筒７０よりも小径であり、挿入筒７０内に連通している。吐出孔７２は、ステムヘッド４０によって開放可能に閉塞されている。ステムヘッド４０は、頂壁部６８の下面に離反可能に密に着座している。ステムヘッド４０が頂壁部６８に着座することで、第３流通孔５９と吐出孔７２との連通が遮断されている。前挿通孔７３は、周壁部６９に形成されている。前挿通孔７３は、周壁部６９において前側に位置する部分に形成されている。前挿通孔７３は、周壁部６９を前後方向に貫通する。
【００４４】
画成筒３２は、容器軸Ｏ方向に延びている。画成筒３２は、シリンダ３５と一体に形成されている。画成筒３２は、上底壁４６から下方に向けて延びている。画成筒３２は、内筒４５を径方向の外側から囲繞している。
底皿３３は、有底筒状に形成されている。底皿３３は、画成筒３２に外嵌されている。底皿３３の底壁部３３ａの下面は、外殻体２１の底面部２５の下面と面一とされている。底壁部３３ａの上面とシリンダ３５の下底壁４４の下面との間には、連通隙間７４が設けられている。連通隙間７４は、吸込孔５０に連通している。
中皿３４は、画成筒３２内に容器軸Ｏ方向に摺動自在に嵌合されている。中皿３４は、環状に形成され、画成筒３２内に密に嵌合されている。中皿３４は、シリンダ３５の内筒４５に密に外嵌されている。中皿３４は、画成筒３２の上端部内に配置され、画成筒３２内を下方移動可能である。
【００４５】
付け替え部２２には、収容空間７５が設けられている。収容空間７５は、内容物を収容し内容物の減少に伴い減容する。収容空間７５は、画成筒３２の内部に画成される。本実施形態では、収容空間７５は、画成筒３２の内周面と、内筒４５の外周面と、中皿３４の下面と、底皿３３の底壁部３３ａの上面と、の間に画成されている。
【００４６】
収容空間７５は、周方向に延びる環状に形成されている。収容空間７５は、ステム３９を径方向の外側から囲繞するように配置されている。ステム３９は、収容空間７５に対して、径方向（収容空間７５の径方向）の内側に配置されている。収容空間７５は、連通隙間７４を通して吸込孔５０に連通している。
【００４７】
収容空間７５は、中皿３４が画成筒３２内を容器軸Ｏ方向に摺動（本実施形態では、下方移動）することで減容する。中皿３４が下方移動すると、中皿３４の上面と、シリンダ３５の上底壁４６の下面と、の間の空気空間７６が拡大する。空気空間７６には、空気孔４９を通して外気が導入される。
【００４８】
蓋体１２は、容器本体１１に連結されている。蓋体１２、容器本体１１を開放可能に閉塞している。蓋体１２は、有頂筒状に形成されている。蓋体１２は、天壁部７７と、蓋周壁７８と、を備えている。
天壁部７７は、蓋体１２の閉状態において吐出ヘッド４３の頂壁部６８に上方から対向している。天壁部７７の下面には、鏡体７９が固定されている。
蓋周壁７８は、天壁部７７の外周縁部から下方に向けて延びている。蓋周壁７８には、ヒンジ凸部８０と、係止凸部８１と、が設けられている。
【００４９】
ヒンジ凸部８０は、蓋周壁７８において後側に位置する部分から下方に向けて延びている。ヒンジ凸部８０は、ヒンジ凹部２７の左右方向の内側に配置されている。ヒンジ凸部８０とヒンジ凹部２７とは、左右方向に延びる前記ヒンジ軸１５を介して連結されている。ヒンジ凸部８０、ヒンジ凹部２７およびヒンジ軸１５は、前記ヒンジ部１４を構成する。
係止凸部８１は、蓋周壁７８において前側に位置する部分から下方に向けて延びている。係止凸部８１は、係止凹部２８の左右方向の内側に配置されている。係止凸部８１には、第２係止部８２と、第１案内面８３と、が設けられている。
【００５０】
第２係止部８２は、第１係止部３０に離脱可能に係止されている。第２係止部８２は、容器本体１１に対する蓋体１２の開放動作を規制している。第２係止部８２は、係止凸部８１から後方に向けて突出している。第２係止部８２は、第１係止部３０に下側から上側に向けて乗り越え可能に係止している。
第１案内面８３は、前方を向く傾斜面である。第１案内面８３は、後方に向かうに従い下方に向けて延びている。第１案内面８３は、係止凸部８１を前後方向に挟んだ第２係止部８２の反対側に位置している。
【００５１】
押釦体１３は、容器本体１１または蓋体１２に、径方向の内側に向けて移動自在に配置されている。本実施形態では、押釦体１３は、容器本体１１に後側に向けて移動自在に配置されている。押釦体１３は、付け替え部２２に装着されている。
図１および図３に示すように、押釦体１３は、操作部８４と、側部８５と、押下部８６と、規制部８７と、弾性片８９と、を備えている。
【００５２】
操作部８４は、係止凹部２８に配置されている。操作部８４には、案内凸部９０が設けられている。案内凸部９０は、操作部８４から後方に向けて突出している。案内凸部９０には、第２案内面９１が設けられている。第２案内面９１は、後方を向く傾斜面である。第２案内面９１は、後方に向かうに従い下方に向けて延びている。
側部８５は、操作部８４の左右方向の両端部から後方に向けて延びている。側部８５は、左右方向に間隔をあけて一対配置されている。側部８５は、前挿通孔７３および後挿通孔５１を通して吐出ヘッド４３内（吐出器３１内）に配置されている。
【００５３】
押下部８６は、外装部材４１を押下する。押下部８６は、ステム３９を前後方向（押釦体１３が押し込まれる径方向）に挟んで一対配置されている。押下部８６は、前側に位置する前押下部８６ａと、後側に位置する後押下部８６ｂと、を備えている。前押下部８６ａは、前被押下部６６ａに前方から対向している。後押下部８６ｂは、後被押下部６６ｂに前方から対向している。後押下部８６ｂは、配置孔６５内に配置されている。各押下部８６には、後方を向く第２傾斜面９２が形成されている。第２傾斜面９２は、後方に向かうに従い上方に向けて延びている。
【００５４】
規制部８７は、押釦体１３の後側への過度の移動を規制する。規制部８７は、左右一対の側部８５における後端部同士を連結している。規制部８７は、突き当て部７１に前方から対向している。
図３に示すように、弾性片８９は、側部８５から左右方向の外側に突出している。弾性片８９は、前後方向に弾性変形可能である。弾性片８９は、突き当て部７１に前方から対向している。
【００５５】
次に、前記コンパクト容器１０の作用について説明する。
【００５６】
図１および図３に示すように、押釦体１３を後方に向けて押し込む前には、押釦体１３は初期位置Ｐ０に位置している。押釦体１３が初期位置Ｐ０に位置している状態で、蓋体１２は閉状態であり第２係止部８２は第１係止部３０に係止している。第１案内面８３と第２案内面９１との前後方向の間隔は、第１傾斜面６７と第２傾斜面９２との前後方向の間隔よりも狭い。規制部８７および弾性片８９は、突き当て部７１から前方に離間している。
【００５７】
図４から図６に示すように、押釦体１３は、後側（径方向の内側）に向けて押し込まれることで、第２係止部８２を第１係止部３０から離脱させるとともにステム３９を下方移動させる。本実施形態では、押釦体１３は、図４および図５に示すように、後側に向けて離脱位置Ｐ１まで押し込まれたときに第２係止部８２を第１係止部３０から離脱させる。押釦体１３は、図６に示すように、離脱位置Ｐ１よりも後側に向けて押下位置Ｐ２まで押し込まれたときにステム３９を下方移動させる。
【００５８】
図４および図５に示すように、押釦体１３が離脱位置Ｐ１まで押し込まれるときには、第１案内面８３と第２案内面９１とが摺接し、係止凸部８１が案内凸部９０によって上方に向けて案内される。その結果、第２係止部８２が第１係止部３０を上方に乗り越える。これにより、容器本体１１に対する蓋体１２の開放動作の規制が解除される。このとき、付勢部材２９が蓋体１２を後側に付勢することで、蓋体１２がヒンジ軸１５回りの開放側に回動する。
なお、押釦体１３を操作する使用者は、第２係止部８２が第２係止部８２を乗り越えることによるクリック感を得ることで、押釦体１３が離脱位置Ｐ１に到達したタイミングを認識することができる。
【００５９】
蓋体１２の離脱位置Ｐ１では、第１傾斜面６７と第２傾斜面９２とが当接している。また図５に示すように、弾性片８９が突き当て部７１に当接し、弾性片８９が前後方向に弾性変形させられている。
その後、押釦体１３が押下位置Ｐ２まで押し込まれるときには、図６に示すように、第１傾斜面６７と第２傾斜面９２とが摺接し、被押下部６６が押下部８６によって下方に向けて押下される。これにより、外装部材４１がコイルスプリング４２を容器軸Ｏ方向に圧縮変形させながら下方移動する。
【００６０】
このとき、ステム３９も、外装部材４１に連係して下方移動する。ステム３９の下方移動に伴って、装着筒６０がピストン３７に係止してピストン３７がシリンダ３５内（本体筒４８内）で下方移動し、シリンダ３５内が加圧される。すると、シリンダ３５内の内容物が第１流通孔５７、ステム３９の外周面とピストン３７の内周面との間、第２流通孔５８、ステム３９内、第３流通孔５９および挿入筒７０内を通して吐出孔７２から吐出される。内容物は、吐出ヘッド４３の頂壁部６８上に吐出される。なお、押釦体１３が最後端位置まで押し込まれると、規制部８７が突き当て部７１に突き当たり、押釦体１３の更なる後方移動が規制される。
【００６１】
押釦体１３の押し込みを解除すると、弾性片８９の弾性復元力により、押釦体１３が前方に向けて復元変位する。またこのとき、コイルスプリング４２の弾性復元力により、ステム３９が、外装部材４１とともに上方に向けて復元変位する。この過程で、鍔部５６がピストン３７をシリンダ３５内で引き上げることで、シリンダ３５内が負圧となる。すると、吸込弁３６が吸込孔５０を開放し、収容空間７５内の内容物が、連通隙間７４および吸込孔５０を通してシリンダ３５内に吸い込まれる。このとき、収容空間７５は減容され、空気空間７６が拡大する。
押釦体１３の押し込みを解除した後、例えば、使用者は、蓋体１２をヒンジ軸１５回りに回動させて蓋体１２を開状態とする。その後、使用者は、吐出ヘッド４３上に吐出された内容物を、例えば、パフ等の図示しない塗布具により拭い取り使用する。
【００６２】
以上説明したように、本実施形態に係るコンパクト容器１０によれば、押釦体１３を後側（径方向の内側）に向けて押し込むことで、第２係止部８２を第１係止部３０から離脱させ、蓋体１２を開放することができる。また、ステム３９を下方移動させて吐出器３１を作動させ、内容物を吐出孔７２から吐出することができる。ここで、従来のコンパクト容器に単に吐出器を適用した構成では、押釦体１３を前後方向（径方向）に押し込んで蓋体１２を開放した後、ステム３９を上方から押し込んで内容物を吐出させることとなる。これに対して、このコンパクト容器１０では、使用者が、押し込み操作の方向性を変えることなく、単に所定の方向に向けて押し込み操作を実施することで、蓋体１２の開放および内容物の吐出を実現することができる。これにより、操作性を高めることができる。
また、内容物の使用時には、吐出器３１の作動によって収容空間７５（容器本体１１内）から所定量の内容物が吐出される。したがって、例えば、内容物が過度に吐出されること等がなく、内容物を適量、使用することができる。
【００６３】
また、内容物の減少に伴い収容空間７５が減容する。したがって、吐出孔７２から吐出されずに収容空間７５内に収容されている内容物を、外気から保護し易くすることが可能になり、内容物の意図しない乾燥を抑えることができる。
さらに、内容物の減少に伴い収容空間７５が減容する。したがって、収容空間７５内の内容物が少なくなっても、吐出器３１が内容物を吐出し易い。その結果、内容物が容器本体１１内に残存した状態で吐出器３１が内容物を吐出不能になる状況の発生を抑え、容器本体１１内の内容物の残量を低減することができる。
【００６４】
また、中皿３４が画成筒３２内を容器軸Ｏ方向に摺動することで収容空間７５が減容する。したがって、収容空間７５内の内容物を中皿３４の移動によって吐出器３１に供給し易くすることが可能になり、容器本体１１内の内容物の残量をより低減することができる。
また、ステム３９が、収容空間７５に対して、収容空間７５の径方向の内側に配置されている。したがって、ステム３９および収容空間７５の容器軸Ｏ方向の位置を重複させることができる。これにより、ステム３９および収容空間７５全体の容器軸Ｏ方向の省スペース化を図ることが可能になり、容器本体１１の容器軸Ｏ方向の大きさを小さくすることができる。
【００６５】
また、押釦体１３が、離脱位置Ｐ１まで押し込まれたときに第２係止部８２を第１係止部３０から離脱させ、開放位置から押下位置Ｐ２まで更に押し込まれたときにステム３９を下方移動させる。したがって、押釦体１３の押し込み量を変更することで、単に蓋体１２の開放動作の規制を解除するだけか、規制を解除した後に内容物の吐出まで実施するかを調整することができる。これにより、コンパクト容器１０の利便性を向上させることができる。例えば本実施形態のように、蓋体１２に鏡体７９が配置されている場合であって、内容物を使用せずに鏡体７９のみを使用したい場合には、押釦体１３を押下位置Ｐ２までは移動させずに離脱位置Ｐ１まで移動させることで、内容物の不要な吐出を回避することができる。
【００６６】
また、押下部８６が、ステム３９を前後方向、つまり押釦体１３が押し込まれる方向に挟んで一対配置されている。したがって、押釦体１３を押し込んで外装部材４１を介してステム３９を下方移動させるときに、一対の押下部８６によってステム３９を安定に下方移動させることができる。これにより、コンパクト容器１０の操作性をより高めることができる。
また、容器本体１１が、付け替え部２２と外殻体２１を備えている。したがって、収容空間７５内（容器本体１１内）の内容物を使い終えた後、外殻体２１から付け替え部２２を離脱させて新たな付け替え部２２を装着させることで、内容物の詰め替えをすることができる。このとき、押釦体１３が付け替え部２２に装着されていることから、内容物の詰め替えにあわせて押釦体１３も交換することができる。
【００６７】
なお、本発明の技術的範囲は前記実施形態に限定されるものではなく、本発明の趣旨を逸脱しない範囲において種々の変更を加えることが可能である。
【００６８】
鏡体７９や付勢部材２９がなくてもよい。
容器本体１１が付け替え部２２を備えず、内容物が詰め替え可能でなくてもよい。
押下部８６が前後方向に一対配置されていなくてもよい。
【００６９】
前記実施形態では、押釦体１３が、径方向の内側に向けて押し込まれる過程で、第２係止部８２を第１係止部３０から離脱させた後、ステム３９を下方移動させるが、本発明はこれに限られない。例えば、押釦体１３が、第２係止部８２を第１係止部３０から離脱させながら、ステム３９を下方移動させてもよい。
【００７０】
前記実施形態では、ステム３９が、収容空間７５に対して、収容空間７５の径方向の内側に配置されているが、本発明はこれに限られない。例えば、ステム３９と収容空間７５とが、容器軸Ｏ方向に完全にずらされていてもよい。
【００７１】
前記実施形態では、中皿３４が画成筒３２内を容器軸Ｏ方向に摺動することで収容空間７５が減容するが、本発明はこれに限られない。例えば、容器本体１１が、可撓性に富む減容変形可能な袋体を備え、収容空間７５が、袋体の内部によって形成されていてもよい。この種の容器本体１１としては、いわゆるデラミ容器などが挙げられる。また容器本体１１内が、内容物の減少に伴い減容しなくてもよく、その場合、吐出器３１として、容器本体１１内（収容空間７５）を減容させずに内容物を吐出する構成を採用してもよい。
【００７２】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００７３】
１０   コンパクト容器
１１   容器本体
１２   蓋体
１３   押釦体
２１   外殻体
２２   付け替え部
３０   第１係止部
３１   吐出器
３２   画成筒
３４   中皿
３９   ステム
７５   収容空間
８２   第２係止部
８６   押下部
Ｏ     容器軸
Ｐ１   離脱位置
Ｐ２   押下位置
【図１】
2019026347.tif 000003
【図２】
2019026347.tif 000004
【図３】
2019026347.tif 000005
【図４】
2019026347.tif 000006
【図５】
2019026347.tif 000007
【図６】
2019026347.tif 000008